(57)【要約】【課題】  全系が小型で、広画角で全ズーム範囲にわたり良好なる光学性能を有するズームレンズ及びそれを有する撮像装置の提供を目的とする。【解決手段】  複数のレンズ群を有し、ズーミングに際して、隣り合うレンズ群の間隔が変化するズームレンズであって、前記複数のレンズ群は、物体側から像側へ順に配置された負の屈折力の第１レンズ群、正の屈折力の第２レンズ群、２つ以上のレンズ群を有する後群からなり、ズーミングに際し、前記第１レンズ群および前記第２レンズ群は移動し、前記第１レンズ群は、物体側から像側へ順に配置された負レンズＧ１、負レンズＧ２、負レンズＧ３を有すること。【選択図】  図１
2020056963.tif 000002
【特許請求の範囲】
【請求項１】
複数のレンズ群を有し、ズーミングに際して、隣り合うレンズ群の間隔が変化するズームレンズであって、
前記複数のレンズ群は、物体側から像側へ順に配置された負の屈折力の第１レンズ群、正の屈折力の第２レンズ群、２つ以上のレンズ群を有する後群からなり、
ズーミングに際し、前記第１レンズ群および前記第２レンズ群は移動し、
前記第１レンズ群は、物体側から像側へ順に配置された、第１負レンズ、第２負レンズ、第３負レンズを有し、
前記第１負レンズは物体側のレンズ面および像側のレンズ面の少なくとも一方が非球面形状であり、
前記第１レンズ群の焦点距離をｆ１、前記後群の最も像側に配置されたレンズ群ＢＲの焦点距離をｆＢＲ、望遠端における前記ズームレンズの焦点距離をｆｔ、広角端における前記ズームレンズのバックフォーカスをＢＦｗとするとき、
０．２０＜ＢＦｗ／｜ｆ１｜＜１．００
０．５０＜ｆ＿ＢＲ／ｆｔ＜２．００
なる条件式を満足することを特徴とするズームレンズ。
【請求項２】
前記レンズ群ＢＲは、最も物体側に第１正レンズを有し、前記第１正レンズの材料のアッベ数をνｄ＿ＬＡとするとき、
νｄ＿ＬＡ＞７０
なる条件式を満足することを特徴とする請求項１に記載のズームレンズ。
【請求項３】
前記レンズ群ＢＲは、前記第１正レンズの像側に隣接して配置された第２正レンズを有し、前記第２正レンズの材料のアッベ数をνｄ＿ＬＢとするとき、
νｄ＿ＬＢ＞７０
なる条件式を満足することを特徴とする請求項２に記載のズームレンズ。
【請求項４】
前記レンズ群ＢＲは、前記第２正レンズの像側に隣接して配置された第４負レンズを有することを特徴とする、請求項３に記載のズームレンズ。
【請求項５】
前記第１正レンズの焦点距離をｆ＿ＬＡとするとき、
０．５＜ｆ＿ＬＡ／ｆｔ＜１．８
なる条件式を満足することを特徴とする請求項２乃至４のいずれか１項に記載のズームレンズ。
【請求項６】
前記第４負レンズの焦点距離をｆ＿ＬＣとするとき、
｜ｆ＿ＬＣ｜／ｆｔ＜１．０
なる条件式を満足することを特徴とする請求項４に記載のズームレンズ。
【請求項７】
前記レンズ群ＢＲは、前記第４負レンズの像側に隣接して第５負レンズを有し、該第５負レンズは非球面形状のレンズ面を有することを特徴とする請求項４または６に記載のズームレンズ。
【請求項８】
前記第４負レンズと前記第５負レンズとの間に、両凸形状の空気レンズが形成されていることを特徴とする請求項７に記載のズームレンズ。
【請求項９】
前記レンズ群ＢＲは複数の負レンズを有し、前記レンズ群ＢＲに含まれる負レンズの材料の屈折率の平均値をＮｄ＿ＢＲＮとするとき、
Ｎｄ＿ＢＲＮ＞１．９０
なる条件式を満足することを特徴とする請求項１乃至８のいずれか１項に記載のズームレンズ。
【請求項１０】
前記第２負レンズは、物体側のレンズ面および像側のレンズ面の少なくとも一方が非球面形状であることを特徴とする請求項１乃至９のいずれか１項に記載のズームレンズ。
【請求項１１】
前記第１負レンズは、光軸中心から周辺にかけて、正の屈折力が強くなる非球面形状のレンズ面を有することを特徴とする請求項１乃至１０のいずれか１項に記載のズームレンズ。
【請求項１２】
無限遠から至近へのフォーカシングに際して、前記第２レンズ群の少なくとも一部が物体側から像側へ移動することを特徴とする請求項１乃至１１のいずれか１項に記載のズームレンズ。
【請求項１３】
前記後群は、物体側から像側へ順に配置された、正の屈折力の第３レンズ群、負の屈折力の第４レンズ群、正の屈折力の第５レンズ群から成ることを特徴とする請求項１乃至１２のいずれか１項に記載のズームレンズ。
【請求項１４】
前記後群は、物体側から像側へ順に配置された、負の屈折力の第３レンズ群、正の屈折力の第４レンズ群から成ることを特徴とする請求項１乃至１２のいずれか１項に記載のズームレンズ
【請求項１５】
前記後群は、物体側から像側へ順に配置された、正の屈折力の第３レンズ群、正の屈折力の第４レンズ群、負の屈折力の第５レンズ群、正の屈折力の第６レンズ群から成ることを特徴とする請求項１乃至１２のいずれか１項に記載のズームレンズ。
【請求項１６】
請求項１乃至１５いずれか１項に記載のズームレンズと、該ズームレンズによって形成された像を受光する撮像素子を有することを特徴とする撮像装置。
【請求項１７】
広角端での撮像半画角をωとするとき、
ω＞５０度
なる条件式を満足することを特徴とする請求項１６に記載の撮像装置。
【発明の詳細な説明】
【技術分野】
【０００１】
本発明は、ズームレンズに関し、例えばデジタルスチルカメラ、ビデオカメラ、ＴＶカメラ、監視用カメラ、ミラーレスカメラ等の撮像装置の撮像光学系として好適なものである。
【背景技術】
【０００２】
近年、撮像装置に用いられる撮像光学系においては、全系が小型で、レンズ全長が短く、広画角でありながら、物体距離全般にわたり高性能（高解像力）なズームレンズであることが要求されている。このうち撮像半画角が４０度程度の広画角のズームレンズとして、負の屈折力のレンズ群が先行するネガティブリード型のズームレンズが知られている（特許文献１）。
【０００３】
特許文献１では、物体側から像側へ順に、負、正、負、正の屈折力のレンズ群からなり、隣り合うレンズ群の間隔を変化させてズーミングを行う４群ズームレンズを開示している。この他、特許文献１では物体側から像側へ順に、負、正、正、負、正の屈折力の第１レンズ群乃至第５レンズ群よりなり、各レンズ群を移動させてズーミングを行う５群ズームレンズを開示している。
【先行技術文献】
【特許文献】
【０００４】
【特許文献１】特開２０１５−２０６９７６号公報
【発明の概要】
【発明が解決しようとする課題】
【０００５】
ネガティブリード型のズームレンズは、ズームレンズの小型化を図りつつ、広画角化を図るのが比較的容易である。しかしながらネガティブリード型のズームレンズは、レンズ構成が開口絞りに対して非対称な配置となるため、小型化および広画角化を図ると歪曲などの諸収差が多く発生し、これらの諸収差の補正が難しくなる。特に撮像画角が１００度を超えるような広画角域を含むズームレンズは、諸収差が多く発生してくる。
【０００６】
ネガティブリード型のズームレンズにおいて、全系の小型化と、広画角化を確保しつつ全ズーム範囲にわたり高い光学性能を得るには、ズームレンズを構成する各レンズ群を適切に設定することが重要である。特に開口絞りを含むレンズ群よりも像側のレンズ構成を適切に設定することが重要となる。これらのレンズ群のレンズ構成が適切でないと、広画角化を図る際にズームレンズが大型化し、又、ズーミングに伴う諸収差の変動が増大し、全ズーム範囲、及び画面全体にわたり高い光学性能を得るのが大変難しくなってくる。
【０００７】
本発明は、全系が小型で、広画角で全ズーム範囲にわたり良好なる光学性能を有するズームレンズ及びそれを有する撮像装置の提供を目的とする。
【課題を解決するための手段】
【０００８】
本発明のズームレンズは、複数のレンズ群を有し、ズーミングに際して、隣り合うレンズ群の間隔が変化するズームレンズであって、前記複数のレンズ群は、物体側から像側へ順に配置された負の屈折力の第１レンズ群、正の屈折力の第２レンズ群、２つ以上のレンズ群を有する後群からなり、ズーミングに際し、前記第１レンズ群および前記第２レンズ群は移動し、前記第１レンズ群は、物体側から像側へ順に配置された負レンズＧ１（第１負レンズ）、負レンズＧ２（第２負レンズ）、負レンズＧ３（第３負レンズ）を有し、前記負レンズＧ１は物体側のレンズ面もしくは像側のレンズ面の少なくとも一方が非球面形状であり、前記第１レンズ群の焦点距離をｆ１、前記後群の最も像側に配置されたレンズ群ＢＲの焦点距離をｆＢＲ、望遠端における前記ズームレンズの焦点距離をｆｔ、広角端における前記ズームレンズのバックフォーカスをＢＦｗとするとき、
０．２０＜ＢＦｗ／｜ｆ１｜＜１．００
０．５０＜ｆ＿ＢＲ／ｆｔ＜２．００
なる条件式を満足することを特徴としている。
【発明の効果】
【０００９】
本発明によれば、全系が小型で、広画角で全ズーム範囲にわたり良好なる光学性能を有するズームレンズが得られる。
【図面の簡単な説明】
【００１０】
【図１】実施例１のズームレンズの広角端において無限遠合焦時のレンズ断面図
【図２】実施例１のズームレンズの無限遠合焦時の収差図
【図３】実施例２のズームレンズの広角端において無限遠合焦時のレンズ断面図
【図４】実施例２のズームレンズの無限遠合焦時の収差図
【図５】実施例３のズームレンズの広角端において無限遠合焦時のレンズ断面図
【図６】実施例３のズームレンズの無限遠合焦時の収差図
【図７】実施例４のズームレンズの広角端において無限遠合焦時のレンズ断面図
【図８】実施例４のズームレンズの無限遠合焦時の収差図
【図９】実施例５のズームレンズの広角端において無限遠合焦時のレンズ断面図
【図１０】実施例５のズームレンズの無限遠合焦時の収差図
【図１１】実施例６のズームレンズの広角端において無限遠合焦時のレンズ断面図
【図１２】実施例６のズームレンズの無限遠合焦時の収差図
【図１３】実施例７のズームレンズの広角端において無限遠合焦時のレンズ断面図
【図１４】実施例７のズームレンズの無限遠合焦時の収差図
【図１５】本発明の実施例の撮像装置の要部概略図
【発明を実施するための形態】
【００１１】
以下に、本発明の好ましい実施の形態を、添付の図面に基づいて説明する。
【００１２】
本発明のズームレンズは、複数のレンズ群を有し、ズーミングに際して、隣り合うレンズ群の間隔が変化する。複数のレンズ群は、物体側から像側へ順に配置された負の屈折力の第１レンズ群、正の屈折力の第２レンズ群と、２つ以上のレンズ群を有する後群からなる。ズーミングに際し、第１レンズ群および第２レンズ群は移動する。第１レンズ群は、物体側から像側へ順に配置された負レンズＧ１（第１負レンズ）、負レンズＧ２（第２負レンズ）、負レンズＧ３（第３負レンズ）を有している。負レンズＧ１は物体側のレンズ面および像側のレンズ面の少なくとも一方が非球面形状である。
【００１３】
図１（Ａ）、（Ｂ）は本発明の実施例１のズームレンズの広角端（短焦点距離端）と望遠端（長焦点距離端）におけるレンズ断面である。図２（Ａ）、（Ｂ）はそれぞれ実施例１のズームレンズの無限遠に合焦時の広角端、望遠端における収差図である。実施例１はズーム比２．２０、開口比（Ｆナンバー）２．９１、撮像半画角５４．４７度〜３２．５１度程度のズームレンズである。以下、収差図は全て無限遠に合焦時である。
【００１４】
図３（Ａ）、（Ｂ）は本発明の実施例２のズームレンズの広角端と望遠端におけるレンズ断面図である。図４（Ａ）、（Ｂ）はそれぞれ実施例２のズームレンズの無限遠に合焦時の広角端、望遠端における収差図である。実施例２はズーム比２．２０、開口比２．９１程度、撮像半画角５４．４７度〜３２．５１度程度のズームレンズである。
【００１５】
図５（Ａ）、（Ｂ）は本発明の実施例３のズームレンズの広角端と望遠端におけるレンズ断面図である。図６（Ａ）、（Ｂ）はそれぞれ実施例３のズームレンズの無限遠に合焦時の広角端、望遠端における収差図である。実施例３はズーム比２．０６、開口比２．９１程度、撮像半画角５２．７０度〜３２．５１度程度のズームレンズである。
【００１６】
図７（Ａ）、（Ｂ）は本発明の実施例４のズームレンズの広角端と望遠端におけるレンズ断面図である。図８（Ａ）、（Ｂ）はそれぞれ実施例４のズームレンズの無限遠に合焦時の広角端、望遠端における収差図である。実施例４はズーム比２．３５、開口比２．９２程度、撮像半画角５６．３２度〜３２．５１度程度のズームレンズである。
【００１７】
図９（Ａ）、（Ｂ）は本発明の実施例５のズームレンズの広角端と望遠端におけるレンズ断面図である。図１０（Ａ）、（Ｂ）はそれぞれ実施例５のズームレンズの無限遠に合焦時の広角端、望遠端における収差図である。実施例５はズーム比２．０２、開口比２．９２程度、撮像半画角５６．３２度〜３６．６３度程度のズームレンズである。
【００１８】
図１１（Ａ）、（Ｂ）は本発明の実施例６のズームレンズの広角端と望遠端におけるレンズ断面図である。図１２（Ａ）、（Ｂ）はそれぞれ実施例６のズームレンズの無限遠に合焦時の広角端、望遠端における収差図である。実施例６はズーム比２．０６、開口比２．９１程度、撮像半画角５２．７０度〜３２．５１度程度のズームレンズである。
【００１９】
図１３（Ａ）、（Ｂ）は本発明の実施例７のズームレンズの広角端と望遠端におけるレンズ断面図である。図１４（Ａ）、（Ｂ）はそれぞれ実施例７のズームレンズの無限遠に合焦時の広角端、望遠端における収差図である。実施例７はズーム比１．９４、開口比２．９１程度、撮像半画角５１．０３度〜３２．５１度程度のズームレンズである。
【００２０】
図１５は本発明のズームレンズを備える撮像装置の要部概略図である。
【００２１】
各実施例のズームレンズは、ビデオカメラやデジタルカメラ、監視カメラ、テレビカメラ等の撮像装置に用いられる撮像光学系である。なお、各実施例のズームレンズは投射装置（プロジェクタ）用の投射光学系として用いることもできる。レンズ断面図において、左方が物体側（前方）で、右方が像側（後方）である。また、ｉを物体側から像側へのレンズ群の順番とすると、Ｂｉは第ｉレンズ群を示す。ＬＲは複数のレンズ群を有する後群である。ＳＰは開口絞りであり、開放Ｆナンバー（Ｆｎｏ）の光束を決定（制限）している。ＳＳＰは可変絞りであり、ズーミングに際して口径が変化する。
【００２２】
ビデオカメラやデジタルカメラなどの撮像装置に各実施例のズームレンズを使用する場合は、像面ＩＰは、ＣＣＤセンサやＣＭＯＳセンサ等の撮像素子（光電変換素子）に相当する。広角端から望遠端へのズーミングに際して、各レンズ群は、図中の実線矢印に示すように移動する。無限遠から至近へのフォーカシングに際して、レンズ群は、図中のフォーカスの矢印に示すように移動する。
【００２３】
球面収差図においてＦｎｏはＦナンバーであり、実線はｄ線（波長５８７．６ｎｍ）、二点鎖線はｇ線（波長４３５．８ｎｍ）に対する球面収差を示している。非点収差図において実線Ｓはｄ線のサジタル像面、破線Ｍはｄ線のメリディオナル像面である。歪曲収差はｄ線について示している。色収差図はｇ線における色収差を示している。ωは撮像半画角（角度）である。各実施例において「広角端」と「望遠端」は、それぞれ、各レンズ群が機構的に移動可能な範囲の両端に位置した時のズーム位置を言う。
【００２４】
以下、各実施例のズームレンズの特徴について説明する。各実施例のズームレンズは、物体側から像側へ順に配置された、負の屈折力の第１レンズ群Ｂ１、正の屈折力の第２レンズ群Ｂ２、２つ以上のレンズ群を有する後群ＬＲ、から成る。ズーミングに際して少なくとも第１レンズ群Ｂ１と第２レンズ群Ｂ２が移動する。
【００２５】
また、第１レンズ群Ｂ１は、物体側から像側へ順に配置された、負レンズＧ１、負レンズＧ２、負レンズＧ３と、少なくとも３枚の負レンズを有する。第１レンズ群Ｂ１内に含まれるレンズの物体側から像側へ数えて３枚のレンズがいずれも負レンズであることで広画角化を容易にしている。物体側から像側へ数えて３つのレンズの中に正レンズを含む場合に比べて、前玉有効径を小さくすることが容易となる。さらに、負レンズＧ１は物体側のレンズ面および像側のレンズ面の少なくとも一方が、非球面形状を有している。負レンズＧ１が非球面レンズであることで、広角端において歪曲収差を低減している。
【００２６】
また各実施例において、第１レンズ群Ｂ１の焦点距離をｆ１、後群ＬＲの最も像側に配置されたレンズ群ＢＲの焦点距離をｆＢＲ、望遠端におけるズームレンズの焦点距離をｆｔ、広角端におけるバックフォーカスをＢＦｗとする。このとき、
０．２０＜ＢＦｗ／｜ｆ１｜＜１．００・・・（１）
０．５０＜ｆ＿ＢＲ／ｆｔ＜２．００  ・・・（２）
なる条件式を満たす。
【００２７】
次に前述の各条件式の技術的意味について説明する。
【００２８】
条件式（１）は、第１レンズ群Ｂ１の焦点距離と、広角端におけるバックフォーカスの比の適切な範囲を規定している。条件式（１）の上限値を超えてバックフォーカスが長くなりすぎると、ズームレンズの小型化が困難となる。また、条件式（１）の下限値を下回ると、第１レンズ群Ｂ１の負の屈折力が弱くなりすぎてしまい（負の焦点距離の絶対値が大きくなりすぎて）、ズームレンズの広画角化が困難になる。
【００２９】
広画角化するためには、第２レンズ群Ｂ２以降のレンズ群の正の屈折力を強くするか、第１レンズ群Ｂ１と第２レンズ群Ｂ２以降のレンズ群間隔を大きくする必要がある。前者の場合は歪曲収差や倍率色収差を補正することが困難になるし、後者の場合はズームレンズの小型化が困難になる。
【００３０】
なお、バックフォーカスは、ズームレンズの最終レンズ面（最も像側のレンズ面）から、像面までの光軸上の距離である。実質的に屈折力を有さない光学部材（プリズム、フィルタ等）が最終レンズ面から像面の間に挿入されている場合は、これら光学部材を取り除いて空気換算した距離をバックフォーカスとする。
【００３１】
また、ズームレンズの最も物体側に、実質的に屈折力を有さない光学部材（カバーガラス、フィルタ等）が挿入されている場合は、これら光学部材は第１レンズ群としては取り扱わない。
【００３２】
条件式（２）は、最も像側に配置されたレンズ群ＢＲの焦点距離と、望遠端におけるズームレンズの焦点距離の比の適切な範囲を規定している。条件式（２）の上限値を超えてレンズ群ＢＲの正の屈折力が弱くなると、広角端における、軸上光線のレンズ群ＢＲ内の通過位置と軸外光線のレンズ群ＢＲ内の通過位置の差が小さくなり、広角端において軸外収差の補正が困難になる。条件式（２）の下限値を超えてレンズ群ＢＲの正の屈折力が強くなると、望遠端において球面収差およびコマ収差の補正が困難になる。
【００３３】
条件式（１）および（２）を満たすことで、小型で、全ズーム域において高い光学性能を有するズームレンズを得ている。
【００３４】
各実施例において、更に好ましくは、以下の条件式のうち１つ以上を満足するのが良い。
【００３５】
レンズ群ＢＲは、最も物体側に正レンズＬＡ（第１正レンズ）を有し、正レンズＬＡの材料のアッベ数をνｄ＿ＬＡとする。レンズ群ＢＲ内は、正レンズＬＡの像側に隣接して正レンズＬＢ（第２正レンズ）を有し、正レンズＬＢの材料のアッベ数をνｄ＿ＬＢとする。正レンズＬＡの焦点距離をｆ＿ＬＡとする。レンズ群ＢＲは、正レンズＬＢの像側に隣接して負レンズＬＣ（第４負レンズ）を有し、負レンズＬＣの焦点距離をｆ＿ＬＣとする。
【００３６】
レンズ群ＢＲは、複数の負レンズを有し、レンズ群ＢＲに含まれる負レンズの材料の屈折率の平均値をＮｄ＿ＢＲＮとする。ズームレンズと、該ズームレンズによって形成された像を受光する撮像素子を有する撮像装置において、広角端での撮像半画角をωとする。
【００３７】
このとき次の条件式のうち１つ以上を満足するのが良い。
【００３８】
νｄ＿ＬＡ＞７０                ・・・（３）
νｄ＿ＬＢ＞７０                ・・・（４）
０．５＜ｆ＿ＬＡ／ｆｔ＜１．８  ・・・（５）
｜ｆ＿ＬＣ｜／ｆｔ＜１．０      ・・・（６）
Ｎｄ＿ＢＲＮ＞１．９０          ・・・（７）
ω＞５０度                      ・・・（８）
次に前述の各条件式の技術的意味について説明する。
【００３９】
条件式（３）は、レンズ群ＢＲの最も物体側に配置された、正レンズＬＡの材料のアッベ数を規定している。条件式（３）の下限値を下回り、正レンズＬＡの材料が高分散になると、広角端において倍率色収差の補正が困難になる。
【００４０】
条件式（４）は、レンズＬＡの像側に隣接して配置された、正レンズＬＢの材料のアッベ数を規定している。条件式（４）の下限値を下回り、正レンズＬＢの材料が高分散になると、広角端において倍率色収差の補正が困難になる。
【００４１】
条件式（５）は、正レンズＬＡの焦点距離と、望遠端におけるズームレンズの焦点距離の比を規定している。条件式（５）の上限値を超えて正レンズＬＡの屈折力が弱くなると、広角端において倍率色収差の補正が困難になる。条件式（５）の下限値を超えて正レンズＬＡの屈折力が強くなると、望遠端において球面収差の補正が困難になる。
【００４２】
条件式（６）は、正レンズＬＢの像側に隣接して配置された、負レンズＬＣの焦点距離と、望遠端におけるズームレンズの焦点距離の比を規定している。条件式（６）の上限値を超えて負レンズＬＣの負の屈折力が弱くなると、広角端において非点隔差および歪曲収差の補正が困難になる。
【００４３】
条件式（７）は、レンズ群ＢＲに含まれるすべての負レンズの材料の屈折率の平均値を規定している。条件式（７）の下限値を下回ると、広角端において非点隔差を良好に補正することが困難になる。
【００４４】
条件式（８）は、広角端における撮像半画角を規定している。この条件式（８）を満たすことで広画角化を容易にしている
以上のように各実施例によれば、小型で、全ズーム域において高い光学性能を有するズームレンズを得ることができる。
【００４５】
更に好ましくは条件式（１）乃至（７）の数値範囲を次の如く設定するのが良い。
【００４６】
０．３５＜ＢＦｗ／｜ｆ１｜＜０．９０  ・・・（１ａ）
０．８０＜ｆ＿ＢＲ／ｆｔ＜１．９８    ・・・（２ａ）
νｄ＿ＬＡ＞７４                      ・・・（３ａ）
νｄ＿ＬＢ＞７４                      ・・・（４ａ）
０．８＜ｆ＿ＬＡ／ｆｔ＜１．６        ・・・（５ａ）
｜ｆ＿ＬＣ｜／ｆｔ＜０．９            ・・・（６ａ）
Ｎｄ＿ＢＲＮ＞１．９２                ・・・（７ａ）
更に好ましくは条件式（１ａ）乃至（７ａ）の数値範囲を次の如く設定するのが良い。
【００４７】
０．５０＜ＢＦｗ／｜ｆ１｜＜０．８５  ・・・（１ｂ）
１．２０＜ｆ＿ＢＲ／ｆｔ＜１．９７    ・・・（２ｂ）
νｄ＿ＬＡ＞８０                      ・・・（３ｂ）
νｄ＿ＬＢ＞７４．５                  ・・・（４ｂ）
１．０＜ｆ＿ＬＡ／ｆｔ＜１．４        ・・・（５ｂ）
｜ｆ＿ＬＣ｜／ｆｔ＜０．８８          ・・・（６ｂ）
Ｎｄ＿ＢＲＮ＞１．９５                ・・・（７ｂ）
また、レンズ群ＢＲにおいては、負レンズＬＣの像側に隣接して配置される負レンズＬＤ（第５負レンズ）は、非球面形状を有することで、広角端において像面湾曲および歪曲収差を良好に補正している。負レンズＬＣの像側のレンズ面は物体側に凸形状であり、負レンズＬＤの物体側のレンズ面は像側に凸形状である。このように、負レンズＬＣと負レンズＬＤとの間で、両凸形状の空気レンズが形成されることで、広角端において非点隔差を良好に補正し、望遠端においてコマ収差を良好に補正している。
【００４８】
好ましくは、負レンズＧ２は、物体側のレンズ面および像側のレンズ面の少なくとも一方に非球面形状を有することが好ましい。負レンズＧ２が非球面レンズであることで、広角端において歪曲収差および非点隔差、望遠端において球面収差を良好に補正することが容易となる。また、負レンズＧ１は、光軸中心から周辺にかけて、正の屈折力が強くなるような非球面形状を有することが好ましい。このような非球面形状を有することで、広角端において歪曲収差を良好に補正することが容易となる。
【００４９】
更に好ましくは、無限遠から至近へのフォーカシングに際し、第２レンズ群Ｂ２の一部もしくは全部が物体側から像側へ移動することが好ましい。第２レンズ群の一部もしくは全部をフォーカスレンズ群として使用することで、物体距離の変動時の像面湾曲の変動および球面収差の変動を抑えることが容易となる。
【００５０】
また各実施例において、後群ＬＲは、物体側から像側へ順に配置された、正の屈折力の第３レンズ群Ｂ３、負の屈折力の第４レンズ群Ｂ４、正の屈折力の第５レンズ群Ｂ５から成ることが良い。または、後群ＬＲは、物体側から像側へ順に配置された、負の屈折力の第３レンズ群Ｂ３、正の屈折力の第４レンズ群Ｂ４から成ることが良い。または、後群ＬＲは、物体側から像側へ順に配置された、正の屈折力の第３レンズ群Ｂ３、正の屈折力の第４レンズ群Ｂ４、負の屈折力の第５レンズ群Ｂ５、正の屈折力の第６レンズ群Ｂ６から成ることが良い。
【００５１】
次に各実施例のレンズ構成について説明する。
【実施例１】
【００５２】
実施例１のズームレンズは、物体側から像側へ順に配置された、負の屈折力の第１レンズ群Ｂ１、正の屈折力の第２レンズ群Ｂ２、複数のレンズ群を有する後群ＬＲより構成される。後群ＬＲは正の屈折力の第３レンズ群Ｂ３、負の屈折力の第４レンズ群Ｂ４、正の屈折力の第５レンズ群Ｂ５で構成される。
【００５３】
広角端から望遠端へのズーミングに際し、第１レンズ群Ｂ１は像側へ移動、第２レンズ群Ｂ２から第５レンズ群Ｂ５は物体側へ移動する。その際、第１レンズ群Ｂ１と第２レンズ群Ｂ２の間隔は狭まり、第２レンズ群Ｂ２と第３レンズ群Ｂ３の間隔は狭まり、第３レンズ群Ｂ３と第４レンズ群Ｂ４の間隔は広がり、第４レンズ群Ｂ４と第５レンズ群Ｂ５との間隔は狭まる。第２レンズ群Ｂ２と第３レンズ群Ｂ３との間に開口絞りＳＰが配置されている。開口絞りＳＰは、広角端から望遠端へのズーミングに際し、第２レンズ群Ｂ２とも第３レンズ群Ｂ３とも異なる軌跡で物体側に移動する。また、第４レンズ群Ｂ４は最も像側に可変絞りＳＳＰを有する。
【００５４】
無限遠から至近へのフォーカシングに際し、第２レンズ群Ｂ２は物体側から像側へ移動する。
【実施例２】
【００５５】
実施例２のズームレンズは、物体側から像側へ順に配置された、負の屈折力の第１レンズ群Ｂ１、正の屈折力の第２レンズ群Ｂ２、複数のレンズ群を有する後群ＬＲより構成される。後群ＬＲは負の屈折力の第３レンズ群Ｂ３、正の屈折力の第４レンズ群Ｂ４で構成される。
【００５６】
広角端から望遠端へのズーミングに際し、第１レンズ群Ｂ１は像側へ移動、第２レンズ群Ｂ２から第４レンズ群Ｂ４は物体側へ移動する。その際、第１レンズ群Ｂ１と第２レンズ群Ｂ２の間隔は狭まり、第２レンズ群Ｂ２と第３レンズ群Ｂ３の間隔は広がり、第３レンズ群Ｂ３と第４レンズ群Ｂ４との間隔は狭まる。第２レンズ群Ｂ２内に開口絞りＳＰが配置されている。第３レンズ群Ｂ３は最も像側に可変絞りＳＳＰを有する。
【００５７】
第２レンズ群Ｂ２は、物体側から像側へ順に配置された正の屈折力の第２Ａレンズ群Ｂ２Ａと正の屈折力の第２Ｂレンズ群Ｂ２Ｂで構成されている。無限遠から至近へのフォーカシングに際し、第２Ａレンズ群Ｂ２Ａは物体側から像側へ移動する。
【実施例３】
【００５８】
実施例３のズームレンズは、レンズ群の数、各レンズ群の屈折力の符号、ズーミングに際しての各レンズ群の移動条件等のズームタイプは実施例１と同じである。開口絞りＳＰと可変絞りＳＳＰの位置も実施例１と同じである。フォーカシングに際して移動するレンズ群および移動条件も実施例１と同じである。
【実施例４】
【００５９】
実施例４のズームレンズのズームタイプは実施例１と同じである。開口絞りＳＰと可変絞りＳＳＰの位置も実施例１と同じである。フォーカシングに際して移動するレンズ群および移動条件等も実施例１と同じである。
【実施例５】
【００６０】
実施例５のズームレンズのズームタイプは実施例１と同じである。開口絞りＳＰと可変絞りＳＳＰの位置も実施例１と同じである。フォーカシングに際して移動するレンズ群および移動条件等も実施例１と同じである。
【実施例６】
【００６１】
実施例６のズームレンズのズームタイプは実施例１と同じである。開口絞りＳＰと可変絞りＳＳＰの位置も実施例１と同じである。フォーカシングに際して移動するレンズ群および移動条件等も実施例１と同じである。
【実施例７】
【００６２】
実施例７のズームレンズは、物体側から像側へ順に配置された、負の屈折力の第１レンズ群Ｂ１、正の屈折力の第２レンズ群Ｂ２、複数のレンズ群を有する後群ＬＲより構成される。後群ＬＲは正の屈折力の第３レンズ群Ｂ３、正の屈折力の第４レンズ群Ｂ４、負の屈折力の第５レンズ群Ｂ５、正の屈折力の第６レンズ群Ｂ６で構成される。
【００６３】
広角端から望遠端へのズーミングに際し、第１レンズ群Ｂ１は像側へ移動、第２レンズ群Ｂ２から第６レンズ群Ｂ６は物体側へ移動する。その際、第１レンズ群Ｂ１と第２レンズ群Ｂ２の間隔は狭まり、第２レンズ群Ｂ２と第３レンズ群Ｂ３の間隔は狭まり、第３レンズ群Ｂ３と第４レンズ群Ｂ４の間隔は狭まる。更に、第４レンズ群Ｂ４と第５レンズ群Ｂ５の間隔は広がり、第５レンズ群Ｂ５と第６レンズ群Ｂ６との間隔は狭まる。
【００６４】
第３レンズ群Ｂ３と第４レンズ群Ｂ４との間に開口絞りＳＰが配置されている。開口絞りＳＰは、広角端から望遠端へのズーミングに際し、第３レンズ群Ｂ３とも第４レンズ群Ｂ４とも異なる軌跡で物体側に移動する。また、第５レンズ群Ｂ５は最も像側に可変絞りＳＳＰを有する。無限遠から至近へのフォーカシングに際し、第２レンズ群Ｂ２は物体側から像側へ移動する。
【００６５】
以上、本発明の好ましい実施形態について説明したが、本発明はこれらの実施形態に限定されず、その要旨の範囲内で種々の変形および変更が可能である。たとえば、特定のレンズ群の少なくとも一部を防振レンズ群として使用しても良い。また、実施例１から７の光学系ではフォーカスレンズ群は１つのレンズ群（もしくは部分群）であるが、複数のレンズ群をフォーカス群として使用しても構わない。なお、こうしたフォーカシング方式はフローティングとも呼ばれる。
【００６６】
また、屈折光学素子（いわゆるレンズ）だけでなく、回折光学素子を有した光学系であっても良いし、反射光学部材を含む光学系であっても構わない。
【００６７】
次に、本発明のズームレンズを撮像光学系として用いた撮像装置の実施例について図１５を用いて説明する。撮像装置は、例えばデジタルスチルカメラ、ビデオカメラ、監視カメラ、放送用カメラ等の撮像素子を用いた撮像装置である。
【００６８】
図１５において、撮像装置１０は、カメラ本体１３と、上述した実施例１乃至７のズームレンズを含むレンズ装置１１と、ズームレンズによって形成される像を光電変換する受光素子（撮像素子）１２を備える。受光素子１２としては、ＣＣＤセンサやＣＭＯＳセンサ等の撮像素子を用いることができる。レンズ装置１１とカメラ本体１３は一体に構成されていても良いし、着脱可能に構成されていても良い。
【００６９】
このように本発明のズームレンズをデジタルスチルカメラ等の撮像装置に適用することにより、小型で、無限遠から至近距離まで高い光学性能を有する撮像装置を得ることができる。
【００７０】
以下に、実施例１乃至７にそれぞれ対応する数値データ１乃至７に示す。各数値データにおいてｒｉは物体側より順に第ｉ番目の面の曲率半径、ｄｉは物体側より順に第ｉ番目と第ｉ＋１番目間のレンズ厚及び空気間隔、ｎｉとνｉは各々物体側より順に第ｉ番目の光学部材の材質の屈折率とアッベ数である。ＢＦは空気換算でのバックフォーカスを表す。レンズ全長は第1レンズ面から最終レンズ面までの距離にバックフォーカスの値を加えたものである。面番号の「＊」は非球面形状を有する面を意味している。非球面形状は光軸方向にＸ軸、光軸と垂直方向にＨ軸、光の進行方向を正としＲを近軸曲率半径、Ｋを円錐定数、Ａ４，Ａ６，Ａ８，Ａ１０，Ａ１２，Ａ１４，Ａ１６を各々非球面係数としたとき、
【００７１】
【数１】
2020056963.tif 000003
で表している。非球面係数の「ｅ−ｘ」は１０−ｘを意味している。
【００７２】
また、前述の各条件式と実施例１乃至７の関係をそれぞれ表１に示す。
【００７３】
（数値データ１）
面データ
面番号       r        d      nd         vd       有効径
1*      3000.000    2.85   1.58313    59.4       55.04
2*        16.526   10.57                         37.84
3*      -809.327    2.25   1.85400    40.4       36.45
4*        91.828    5.56                         31.48
5        -53.256    1.20   1.59522    67.7       31.18
6         68.528    0.15                         30.87
7         43.587    5.03   1.85478    24.8       31.10
8       -485.244  (可変)                         30.62
9         63.607    2.67   1.84666    23.9       24.64
10      -1472.964    0.15                         24.78
11         52.737    1.00   1.92286    20.9       25.07
12         22.996    5.41   1.53172    48.8       24.62
13        489.976  (可変)                         24.90
14(絞り)    ∞     (可変)                         26.65
15         27.733    1.20   2.00069    25.5       27.72
16         19.641    9.29   1.53775    74.7       26.54
17        -78.882  (可変)                         26.33
18        -67.558    4.31   1.92286    20.9       21.98
19        -20.948    0.77   1.83400    37.2       22.48
20        136.126    3.52                         23.78
21          ∞     (可変)                         25.93
22         30.487   11.20   1.49700    81.6       34.86
23        -50.182    0.15                         34.68
24         40.928   11.00   1.49700    81.6       31.47
25        -25.800    1.20   2.05090    26.9       29.51
26        208.835    4.54                         29.48
27*       -73.669    2.10   1.85400    40.4       29.55
28*     -1000.000    0.15                         32.11
29        216.036    3.40   1.92286    20.9       34.25
30       -127.538  (可変)                         34.88
像面        ∞  
非球面データ
第1面
K = 0.00000e+000  A 4= 8.30213e-006  A 6=-1.33976e-008  A 8= 4.25008e-011  A10=-8.60253e-014  A12= 1.03363e-016  A14=-7.03702e-020  A16= 2.16318e-023  
第2面
K =-9.81344e-001  A 4= 4.49709e-007  A 6=-2.34544e-008  A 8=-1.05516e-010  A10= 8.07443e-013  A12=-2.78552e-015  A14= 3.05128e-018  
第3面
K = 0.00000e+000  A 4=-9.01759e-006  A 6=-1.39642e-007  A 8= 1.23272e-009  A10=-3.49283e-012  A12= 3.62808e-015  A14= 5.24953e-019  A16=-2.43479e-021  
第4面
K = 0.00000e+000  A 4= 6.34981e-006  A 6=-1.29871e-007  A 8= 1.67920e-009  A10=-6.48374e-012  A12= 1.50043e-014  A14=-1.59777e-017  
第27面
K = 0.00000e+000  A 4=-8.04129e-005  A 6= 2.64851e-007  A 8=-1.06038e-009  A10= 4.87911e-012  A12=-8.56493e-015  A14=-1.17880e-018  A16=-3.10043e-023  
第28面
K = 0.00000e+000  A 4=-6.00659e-005  A 6= 2.67376e-007  A 8=-7.05021e-010  A10= 2.04492e-012  A12=-2.97985e-015 
各種データ
ズーム比      2.20 
広角     中間     望遠
焦点距離      15.45    24.00    33.95  
Fナンバー     2.91     2.91     2.91  
半画角（度）  54.47    42.03    32.51  
像高          21.64    21.64    21.64  
レンズ全長   159.58   147.49   144.99  
BF            14.00    22.21    32.15  
d 8           25.32     7.72     1.50  
d13            8.24    11.30     7.40  
d14           13.71     5.42     0.71  
d17            1.60     9.89    14.61  
d21            7.04     1.27    -1.05  
d30           14.00    22.21    32.15  
レンズ群データ
群  始面    焦点距離  レンズ構成長  前側主点位置  後側主点位置
1    1     -21.75        27.61         3.35        -19.34
2    9      73.31         9.23        -0.96         -6.54
3   15      52.20        10.49         1.65         -5.23
4   18     -63.99         8.60         0.43         -5.73
5   22      51.49        33.74        -7.53        -27.53
単レンズデータ
レンズ  始面  焦点距離
1       1    -28.51
2       3    -96.46
3       5    -50.16
4       7     47.00
5       9     72.07
6      11    -44.91
7      12     45.20
8      15    -72.66
9      16     30.24
10      18     31.50
11      19    -21.72
12      22     40.00
13      24     33.68
14      25    -21.79
15      27    -93.22
16      29     87.31
（数値データ２）
面データ
面番号       r        d      nd         vd       有効径
1*      3000.000    2.00   1.76385    48.5       53.56
2*        19.650   10.40                         40.07
3*     -3000.000    1.70   1.85400    40.4       38.49
4*        97.522    6.08                         33.40
5        -52.452    1.10   1.53775    74.7       33.16
6         89.001    0.15                         32.98
7         54.015    4.64   2.00069    25.5       33.17
8       -602.659  (可変)                         32.72
9         59.323    3.01   1.84666    23.8       24.98
10       -459.055    0.15                         25.09
11         62.652    1.04   1.92286    20.9       25.24
12         21.504    5.42   1.61293    37.0       24.70
13        174.715    7.78                         24.87
14(絞り)    ∞       6.16                         26.60
15         30.426    1.25   2.05090    26.9       28.90
16         22.569    9.57   1.49700    81.6       27.86
17        -50.669  (可変)                         27.75
18        -57.943    4.21   1.92286    20.9       22.54
19        -21.964    1.00   1.83400    37.2       22.57
20        144.153    3.29                         22.35
21          ∞     (可変)                         22.47
22         27.650   11.56   1.43875    94.7       34.75
23        -54.959    0.15                         34.55
24         38.950   10.98   1.53775    74.7       31.85
25        -28.847    1.23   2.05090    26.9       29.87
26         85.500    4.80                         29.32
27*      -117.476    1.50   1.85400    40.4       29.42
28*     -1000.000    0.15                         31.53
29         66.737    3.39   1.95906    17.5       35.81
30        322.582  (可変)                         36.10
像面        ∞  
非球面データ
第1面
K = 0.00000e+000  A 4= 1.03175e-005  A 6=-1.29560e-008  A 8= 4.11111e-011  A10=-9.34836e-014  A12= 1.24758e-016  A14=-9.23542e-020  A16= 3.05105e-023  
第2面
K =-1.00663e+000  A 4=-4.64102e-006  A 6= 4.20921e-009  A 8=-8.92908e-011  A10= 6.57290e-013  A12=-2.13101e-015  A14= 2.10007e-018  
第3面
K = 0.00000e+000  A 4=-2.13702e-005  A 6=-5.96203e-008  A 8= 9.25870e-010  A10=-3.11697e-012  A12= 4.52311e-015  A14=-2.37962e-018  A16=-2.27694e-022  
第4面
K = 0.00000e+000  A 4=-3.29313e-006  A 6=-4.28221e-008  A 8= 1.13303e-009  A10=-4.56784e-012  A12= 9.71728e-015  A14=-8.55924e-018  
第27面
K = 0.00000e+000  A 4=-8.10008e-005  A 6= 2.57535e-007  A 8=-1.40514e-009  A10= 1.13260e-011  A12=-5.30354e-014  A14= 1.46810e-016  A16=-2.14346e-019  
第28面
K = 0.00000e+000  A 4=-6.02918e-005  A 6= 2.33866e-007  A 8=-4.55043e-010  A10= 2.07519e-012  A12=-4.58917e-015 
各種データ
ズーム比      2.20 
広角     中間     望遠
焦点距離      15.45    24.00    33.95  
Fナンバー     2.91     2.91     2.91  
半画角（度）  54.47    42.03    32.51  
像高          21.64    21.64    21.64  
レンズ全長   164.24   151.54   150.97  
BF            14.20    22.81    34.13  
d 8           33.02    11.64     1.50  
d17            1.74     8.75    13.68  
d21           12.57     5.63    -1.05  
d30           14.20    22.81    34.13 
レンズ群データ
群  始面    焦点距離  レンズ構成長  前側主点位置  後側主点位置
1    1     -22.91        26.07         1.39        -21.10
2    9      37.57        34.38        15.79        -16.68
3   18     -56.29         8.50         0.39         -5.61
4   22      52.82        33.76        -7.37        -27.45
単レンズデータ
レンズ  始面  焦点距離
1       1    -25.90
2       3   -110.57
3       5    -61.21
4       7     49.71
5       9     62.21
6      11    -35.91
7      12     39.48
8      15    -90.54
9      16     32.84
10      18     36.29
11      19    -22.79
12      22     43.80
13      24     32.67
14      25    -20.41
15      27   -155.99
16      29     87.17
（数値データ３）
面データ
面番号       r        d      nd         vd       有効径
1*      3000.000    2.85   1.58313    59.4       51.80
2*        16.094    9.83                         36.24
3*     -3000.000    2.25   1.85400    40.4       35.05
4*        94.780    5.52                         30.76
5        -48.479    1.22   1.59522    67.7       30.48
6         88.437    0.15                         30.43
7         45.716    4.61   1.84666    23.9       30.72
8       -800.000  (可変)                         30.33
9         67.202    2.80   1.85478    24.8       24.21
10       -321.896    0.15                         24.38
11         55.662    1.04   1.92286    20.9       24.66
12         23.425    5.12   1.53172    48.8       24.24
13        545.072  (可変)                         24.50
14(絞り)    ∞     (可変)                         25.95
15         27.357    1.25   2.00069    25.5       27.18
16         19.481    8.91   1.53775    74.7       26.02
17        -90.471  (可変)                         25.79
18        -76.370    4.80   1.92286    20.9       22.15
19        -22.599    0.97   1.83400    37.2       22.15
20        128.497    3.55                         22.58
21          ∞     (可変)                         24.78
22         29.814   10.71   1.49700    81.6       33.81
23        -51.511    0.15                         33.66
24         43.147   10.29   1.49700    81.6       30.98
25        -28.537    1.23   2.05090    26.9       29.07
26        264.650    4.92                         28.84
27*       -58.899    1.90   1.85400    40.4       28.87
28*      -481.984    0.15                         31.35
29        196.609    3.51   1.92286    20.9       33.25
30       -143.123  (可変)                         33.99
像面        ∞  
非球面データ
第1面
K = 0.00000e+000  A 4= 7.78177e-006  A 6=-1.16227e-008  A 8= 3.61332e-011  A10=-8.46807e-014  A12= 1.32014e-016  A14=-1.19838e-019  A16= 4.73739e-023  
第2面
K =-9.92823e-001  A 4= 7.69669e-007  A 6=-2.26384e-008  A 8=-9.85352e-011  A10= 6.27986e-013  A12=-2.83991e-015  A14= 3.85776e-018  
第3面
K = 0.00000e+000  A 4=-6.64637e-006  A 6=-1.30881e-007  A 8= 1.16505e-009  A10=-3.85853e-012  A12= 6.70940e-015  A14=-6.86586e-018  A16= 3.70998e-021  
第4面
K = 0.00000e+000  A 4= 8.70231e-006  A 6=-1.20128e-007  A 8= 1.60621e-009  A10=-6.68148e-012  A12= 1.72715e-014  A14=-1.99239e-017  
第27面
K = 0.00000e+000  A 4=-8.02584e-005  A 6= 3.37144e-007  A 8=-1.26027e-009  A10= 4.18861e-012  A12=-7.10161e-015  A14= 6.02476e-018  A16=-2.38812e-020  
第28面
K = 0.00000e+000  A 4=-5.78382e-005  A 6= 3.44019e-007  A 8=-1.08923e-009  A10= 2.82965e-012  A12=-3.79229e-015
各種データ
ズーム比      2.06 
広角     中間     望遠
焦点距離      16.48    25.00    33.95  
Fナンバー     2.91     2.91     2.91  
半画角（度）  52.70    40.87    32.51  
像高          21.64    21.64    21.64  
レンズ全長   155.40   143.83   142.03  
BF            14.79    23.49    32.80  
d 8           21.05     6.62     1.50  
d13            6.87     9.00     6.34  
d14           16.01     6.25     1.65  
d17            1.60     9.09    12.93  
d21            7.22     1.51    -1.05  
d30           14.79    23.49    32.80
レンズ群データ
群  始面    焦点距離  レンズ構成長  前側主点位置  後側主点位置
1    1     -21.27        26.43         3.35        -18.21
2    9      68.47         9.11        -0.71         -6.18
3   15      53.46        10.16         1.27         -5.36
4   18     -67.81         9.32         0.66         -5.88
5   22      51.87        32.85        -7.80        -27.23
単レンズデータ
レンズ  始面  焦点距離
1       1    -27.76
2       3   -107.55
3       5    -52.43
4       7     51.20
5       9     65.26
6      11    -44.52
7      12     45.88
8      15    -73.44
9      16     30.68
10      18     33.35
11      19    -22.98
12      22     39.73
13      24     36.29
14      25    -24.46
15      27    -78.73
16      29     90.20
（数値データ４）
面データ
面番号       r        d      nd         vd       有効径
1*      3000.000    2.85   1.58313    59.4       62.24
2*        17.540   12.70                         41.44
3*      1820.669    2.25   1.85400    40.4       39.60
4*        75.488    6.60                         33.51
5        -57.046    1.20   1.59522    67.7       32.85
6         60.960    0.15                         32.06
7         44.761    5.23   1.85478    24.8       32.17
8       -512.578  (可変)                         31.58
9         65.327    2.45   1.80518    25.4       25.94
10        320.558    0.15                         26.11
11         46.060    1.00   1.89286    20.4       26.61
12         24.356    6.00   1.54072    47.2       26.20
13       -420.699  (可変)                         26.43
14(絞り)    ∞     (可変)                         27.38
15         29.688    1.20   2.00069    25.5       28.03
16         20.101    9.16   1.53775    74.7       26.77
17        -79.290  (可変)                         26.51
18        -60.630    3.72   1.95906    17.5       21.80
19        -22.291    0.75   1.85026    32.3       21.83
20        137.589    3.56                         22.45
21          ∞     (可変)                         24.91
22         32.425   10.45   1.49700    81.6       33.04
23        -45.606    0.15                         33.16
24         44.200    9.57   1.49700    81.6       31.11
25        -32.406    1.20   2.05090    26.9       29.63
26        186.787    4.37                         29.43
27*       -88.663    2.10   1.85400    40.4       29.48
28*     -1000.000    0.15                         31.81
29        135.867    2.79   1.92286    20.9       34.09
30       -819.517  (可変)                         34.60
像面        ∞  
非球面データ
第1面
K = 0.00000e+000  A 4= 9.12520e-006  A 6=-1.43067e-008  A 8= 4.34473e-011  A10=-8.74550e-014  A12= 1.02636e-016  A14=-6.44042e-020  A16= 1.67901e-023  
第2面
K =-8.85623e-001  A 4= 7.78378e-007  A 6=-8.44963e-009  A 8=-1.15336e-010  A10= 9.37797e-013  A12=-2.65612e-015  A14= 2.28755e-018  
第3面
K = 0.00000e+000  A 4=-1.01770e-005  A 6=-1.38555e-007  A 8= 1.18997e-009  A10=-3.41397e-012  A12= 3.80258e-015  A14= 2.87549e-019  A16=-2.70841e-021  
第4面
K = 0.00000e+000  A 4= 3.81222e-006  A 6=-1.41511e-007  A 8= 1.65123e-009  A10=-6.55657e-012  A12= 1.50883e-014  A14=-1.54177e-017  
第27面
K = 0.00000e+000  A 4=-7.03421e-005  A 6= 2.08994e-007  A 8=-9.63701e-010  A10= 4.95291e-012  A12=-1.12790e-014  A14= 1.00977e-017  A16=-1.70404e-020  
第28面
K = 0.00000e+000  A 4=-5.18294e-005  A 6= 2.16163e-007  A 8=-6.00400e-010  A10= 2.09888e-012  A12=-3.36889e-015 
各種データ
ズーム比      2.35 
広角     中間     望遠
焦点距離      14.42    24.00    33.95  
Fナンバー     2.92     2.92     2.92  
半画角（度）  56.32    42.03    32.51  
像高          21.64    21.64    21.64  
レンズ全長   162.41   149.27   146.70  
BF            13.99    22.37    34.72  
d 8           31.42     9.05     1.50  
d13            6.31    12.75     6.43  
d14           13.63     3.36     0.99  
d17            1.60    11.87    14.24  
d21            5.71     0.11    -0.94  
d30           13.99    22.37    34.72 
レンズ群データ
群  始面    焦点距離  レンズ構成長  前側主点位置  後側主点位置
1    1     -21.36        30.98         4.32        -21.06
2    9      62.19         9.61         0.26         -5.70
3   15      57.68        10.36         1.80         -4.99
4   18     -58.20         8.03         0.29         -5.57
5   22      51.69        30.78        -6.76        -24.93
単レンズデータ
レンズ  始面  焦点距離
1       1    -30.27
2       3    -92.27
3       5    -49.32
4       7     48.37
5       9    101.47
6      11    -59.18
7      12     42.78
8      15    -66.36
9      16     30.81
10      18     35.09
11      19    -22.51
12      22     39.91
13      24     39.25
14      25    -26.20
15      27   -114.04
16      29    126.46
（数値データ５）
面データ
面番号       r        d      nd         vd       有効径
1*      3000.000    2.85   1.58313    59.4       61.51
2*        17.203   12.67                         40.39
3*      5528.803    2.25   1.85400    40.4       38.64
4*        71.932    6.04                         32.69
5        -56.210    1.20   1.59522    67.7       32.30
6         63.894    0.15                         31.59
7         44.388    6.72   1.85478    24.8       31.69
8       -318.556  (可変)                         30.68
9         63.590    2.21   1.80518    25.4       22.43
10        314.826    0.15                         22.56
11         45.943    1.00   1.89286    20.4       22.87
12         23.359    5.00   1.54072    47.2       22.56
13       -455.410  (可変)                         22.74
14(絞り)    ∞     (可変)                         24.01
15         29.639    1.20   2.00069    25.5       24.69
16         20.319    7.62   1.53775    74.7       23.77
17        -81.736  (可変)                         23.49
18        -64.883    4.17   1.95906    17.5       20.35
19        -23.060    0.75   1.85026    32.3       21.21
20        180.484    3.27                         22.40
21          ∞     (可変)                         24.59
22         32.881    9.68   1.49700    81.6       31.59
23        -43.472    0.15                         31.74
24         45.776    8.66   1.49700    81.6       29.95
25        -32.604    1.20   2.05090    26.9       28.72
26        152.153    4.38                         28.57
27*       -82.580    2.10   1.85400    40.4       28.64
28*     -1000.000    0.15                         31.18
29        137.445    2.72   1.92286    20.9       33.48
30       -877.955  (可変)                         34.00
像面        ∞ 
非球面データ
第1面
K = 0.00000e+000  A 4= 9.12334e-006  A 6=-1.42060e-008  A 8= 4.34729e-011  A10=-8.74169e-014  A12= 1.02679e-016  A14=-6.43096e-020  A16= 1.68912e-023  
第2面
K =-8.93367e-001  A 4= 3.79524e-008  A 6=-5.07064e-009  A 8=-1.14893e-010  A10= 9.36196e-013  A12=-2.65811e-015  A14= 2.27870e-018  
第3面
K = 0.00000e+000  A 4=-1.02888e-005  A 6=-1.38723e-007  A 8= 1.18981e-009  A10=-3.41414e-012  A12= 3.80422e-015  A14= 2.89821e-019  A16=-2.70649e-021  
第4面
K = 0.00000e+000  A 4= 4.72216e-006  A 6=-1.41758e-007  A 8= 1.65340e-009  A10=-6.55785e-012  A12= 1.51299e-014  A14=-1.52426e-017  
第27面
K = 0.00000e+000  A 4=-7.04435e-005  A 6= 2.07231e-007  A 8=-9.97067e-010  A10= 4.95238e-012  A12=-1.12135e-014  A14= 9.39583e-018  A16=-2.05544e-020  
第28面
K = 0.00000e+000  A 4=-5.05135e-005  A 6= 2.12633e-007  A 8=-6.02723e-010  A10= 2.05246e-012  A12=-3.41573e-015
各種データ
ズーム比      2.02 
広角     中間     望遠
焦点距離      14.42    23.00    29.10  
Fナンバー     2.92     2.92     2.92  
半画角（度）  56.32    43.25    36.63  
像高          21.64    21.64    21.64  
レンズ全長   157.53   145.54   143.01  
BF            14.20    21.84    29.07  
d 8           29.25     8.20     2.20  
d13            6.60    13.49    10.40  
d14           14.27     4.99     2.88  
d17            1.60    10.89    13.00  
d21            5.32    -0.15    -0.83  
d30           14.20    21.84    29.07
レンズ群データ
群  始面    焦点距離  レンズ構成長  前側主点位置  後側主点位置
1    1     -21.82        31.88         3.79        -22.38
2    9      63.47         8.35         0.08         -5.08
3   15      57.10         8.82         1.33         -4.39
4   18     -67.60         8.19         0.13         -5.67
5   22      57.20        29.05        -8.47        -25.21
単レンズデータ
レンズ  始面  焦点距離
1       1    -29.68
2       3    -85.36
3       5    -50.05
4       7     45.97
5       9     98.58
6      11    -54.36
7      12     41.24
8      15    -69.01
9      16     31.07
10      18     35.57
11      19    -24.01
12      22     39.32
13      24     39.77
14      25    -25.47
15      27   -105.51
16      29    128.94
（数値データ６）
面データ
面番号       r        d      nd         vd       有効径
1*      3000.000    2.50   1.58313    59.4       49.41
2*        15.916    9.46                         34.71
3*     -3000.000    2.00   1.85400    40.4       33.54
4*       101.368    5.42                         29.88
5        -49.454    1.22   1.59522    67.7       29.34
6         87.148    0.15                         29.02
7         45.027    4.37   1.84666    23.9       29.14
8       -800.000  (可変)                         28.67
9         76.213    2.78   1.85478    24.8       23.79
10       -331.698    0.15                         24.01
11         53.945    1.04   1.92286    20.9       24.34
12         23.773    4.93   1.53172    48.8       23.98
13        370.217  (可変)                         24.25
14(絞り)    ∞     (可変)                         26.05
15         27.198    1.25   2.00069    25.5       27.46
16         19.466    8.88   1.53775    74.7       26.29
17        -92.152  (可変)                         26.08
18        -75.283    4.03   1.92286    20.9       22.50
19        -22.118    0.97   1.83400    37.2       22.52
20        127.842    3.47                         22.96
21          ∞     (可変)                         25.12
22         29.190   11.06   1.49700    81.6       33.74
23        -49.654    0.15                         33.55
24         44.754    9.79   1.49700    81.6       30.70
25        -29.008    1.23   2.05090    26.9       28.87
26        247.428    4.18                         28.55
27*       -64.441    1.90   1.85400    40.4       28.55
28*      -504.930    0.15                         30.73
29        214.873    3.10   1.92286    20.9       32.34
30       -140.812  (可変)                         32.93
像面        ∞ 
非球面データ
第1面
K = 0.00000e+000  A 4= 8.27957e-006  A 6=-1.12868e-008  A 8= 3.62576e-011  A10=-8.45964e-014  A12= 1.31912e-016  A14=-1.20674e-019  A16= 4.82227e-023  
第2面
K =-9.06533e-001  A 4=-1.33767e-006  A 6=-2.39706e-008  A 8=-9.74300e-011  A10= 6.82097e-013  A12=-3.01059e-015  A14= 4.00625e-018  
第3面
K = 0.00000e+000  A 4=-4.93182e-006  A 6=-1.33050e-007  A 8= 1.17384e-009  A10=-3.87643e-012  A12= 6.67554e-015  A14=-6.57058e-018  A16= 3.26457e-021  
第4面
K = 0.00000e+000  A 4= 9.66771e-006  A 6=-1.17661e-007  A 8= 1.60042e-009  A10=-6.68028e-012  A12= 1.72590e-014  A14=-1.98480e-017  
第27面
K = 0.00000e+000  A 4=-8.04030e-005  A 6= 3.42699e-007  A 8=-1.25932e-009  A10= 4.11715e-012  A12=-7.36149e-015  A14= 5.66865e-018  A16=-1.93150e-020  
第28面
K = 0.00000e+000  A 4=-5.80671e-005  A 6= 3.47389e-007  A 8=-1.09234e-009  A10= 2.84356e-012  A12=-3.85208e-015
各種データ
ズーム比      2.06 
広角     中間     望遠
焦点距離      16.48    25.00    33.95  
Fナンバー     2.91     2.91     2.91  
半画角（度）  52.70    40.87    32.51  
像高          21.64    21.64    21.64  
レンズ全長   155.86   144.55   142.93  
BF            18.00    26.39    35.65  
d 8           21.23     6.87     1.81  
d13            7.91     9.54     7.22  
d14           16.57     6.92     1.79  
d17            1.60     9.27    13.32  
d21            6.38     1.39    -1.05  
d30           18.00    26.39    35.65
レンズ群データ
群  始面    焦点距離  レンズ構成長  前側主点位置  後側主点位置
1    1     -21.84        25.12         2.80        -17.99
2    9      74.93         8.90        -0.86         -6.19
3   15      53.19        10.13         1.22         -5.39
4   18     -67.31         8.47         0.58         -5.49
5   22      50.41        31.56        -6.51        -25.41
単レンズデータ
レンズ  始面  焦点距離
1       1    -27.45
2       3   -114.78
3       5    -52.83
4       7     50.47
5       9     72.73
6      11    -46.83
7      12     47.54
8      15    -74.45
9      16     30.74
10      18     32.75
11      19    -22.54
12      22     38.80
13      24     37.05
14      25    -24.65
15      27    -86.67
16      29     92.56
（数値データ７）
面データ
面番号       r        d      nd         vd       有効径
1*      3000.000    2.50   1.58313    59.4       54.02
2*        17.002   10.55                         37.95
3*     -3000.000    2.00   1.85400    40.4       36.72
4*       103.357    5.92                         32.55
5        -53.771    1.20   1.59522    67.7       32.25
6         71.813    0.15                         32.35
7         44.932    5.27   1.84666    23.9       32.80
8       -800.000  (可変)                         32.41
9         79.977    2.58   1.88300    40.8       23.93
10       -272.703  (可変)                         24.11
11         52.267    1.00   1.85896    22.7       25.24
12         21.846    5.57   1.53172    48.8       24.77
13        469.847  (可変)                         24.99
14(絞り)    ∞     (可変)                         26.42
15         27.673    1.25   2.00069    25.5       27.33
16         20.610    8.99   1.51728    69.6       26.27
17        -69.015  (可変)                         25.96
18        -85.413    3.95   1.92286    20.9       21.44
19        -23.170    0.97   1.85150    40.8       21.31
20        102.176    6.09                         20.87
21          ∞     (可変)                         24.25
22         30.453   10.01   1.49700    81.6       32.81
23        -53.150    0.15                         32.75
24         43.938   10.52   1.49700    81.6       30.68
25        -26.899    1.20   2.05090    26.9       28.93
26        253.382    4.87                         29.06
27*       -60.453    1.90   1.85400    40.4       29.22
28*       422.431    0.15                         32.29
29        173.827    3.57   1.92286    20.9       34.07
30       -128.113  (可変)                         34.74
像面        ∞
非球面データ
第1面
K = 0.00000e+000  A 4= 7.61718e-006  A 6=-8.84394e-009  A 8= 2.88322e-011  A10=-8.32552e-014  A12= 1.42883e-016  A14=-1.27136e-019  A16= 4.88007e-023  
第2面
K =-8.55776e-001  A 4=-1.88772e-006  A 6=-1.88484e-008  A 8=-5.47491e-011  A10= 5.77353e-013  A12=-3.51848e-015  A14= 5.67714e-018  
第3面
K = 0.00000e+000  A 4=-8.79443e-006  A 6=-1.25224e-007  A 8= 1.18780e-009  A10=-4.01630e-012  A12= 6.66396e-015  A14=-5.30699e-018  A16= 1.49876e-021  
第4面
K = 0.00000e+000  A 4= 4.40590e-006  A 6=-1.05557e-007  A 8= 1.45397e-009  A10=-5.90232e-012  A12= 1.48245e-014  A14=-1.75690e-017  
第27面
K = 0.00000e+000  A 4=-7.88452e-005  A 6= 3.78977e-007  A 8=-1.39402e-009  A10= 4.18891e-012  A12=-8.96741e-015  A14= 1.70441e-017  A16=-4.71517e-020  
第28面
K = 0.00000e+000  A 4=-5.85438e-005  A 6= 3.70343e-007  A 8=-1.24198e-009  A10= 2.92019e-012  A12=-3.79238e-015
各種データ
ズーム比      1.94 
広角     中間     望遠
焦点距離      17.50    24.00    33.95  
Fナンバー     2.91     2.91     2.91  
半画角（度）  51.03    42.03    32.51  
像高          21.64    21.64    21.64  
レンズ全長   160.64   149.03   145.23  
BF            13.02    18.95    28.46  
d 8           23.15     9.97     1.50  
d10            8.29     6.97     5.20  
d13            3.01    10.37     6.94  
d14           14.08     1.49     0.70  
d17            1.60     6.83    11.83  
d21            7.15     4.10     0.24  
d30           13.02    18.95    28.46
レンズ群データ
群  始面    焦点距離  レンズ構成長  前側主点位置  後側主点位置
1    1     -22.64        27.58         3.18        -19.49
2    9      70.28         2.58         0.31         -1.06
3   11    2120.55         6.57       -27.18        -30.99
4   15      50.07        10.24         1.76         -5.06
5   18     -61.70        11.01         0.93         -7.71
6   22      60.43        32.37       -12.97        -30.08
単レンズデータ
レンズ  始面  焦点距離
1       1    -29.33
2       3   -116.96
3       5    -51.47
4       7     50.39
5       9     70.28
6      11    -44.37
7      12     42.90
8      15    -88.53
9      16     31.77
10      18     33.43
11      19    -22.10
12      22     40.57
13      24     35.31
14      25    -23.09
15      27    -61.81
16      29     80.38
【００７４】
【表１】
2020056963.tif 000004
【符号の説明】
【００７５】
Ｂ１：第１レンズ群、Ｂ２：第２レンズ群、Ｂ３：第３レンズ群、Ｂ４：第４レンズ群、
Ｂ５：第５レンズ群、Ｂ６：第６レンズ群、ＬＲ：後群、ＳＰ：開口絞り、ＳＳＰ：可変絞り、ＩＰ：像面
【図１】
2020056963.tif 000005
【図２】
2020056963.tif 000006
【図３】
2020056963.tif 000007
【図４】
2020056963.tif 000008
【図５】
2020056963.tif 000009
【図６】
2020056963.tif 000010
【図７】
2020056963.tif 000011
【図８】
2020056963.tif 000012
【図９】
2020056963.tif 000013
【図１０】
2020056963.tif 000014
【図１１】
2020056963.tif 000015
【図１２】
2020056963.tif 000016
【図１３】
2020056963.tif 000017
【図１４】
2020056963.tif 000018
【図１５】
2020056963.tif 000019